(57)【要約】【課題】  入浴者に不快感を与えることがなく、安全性にも優れたカバーを備えた浴槽用給湯兼排水口アダプターを提供することを目的とする。【解決手段】  浴槽２の底面に形成される排水口１０と、排水口１０が形成されている浴槽２の面に対し垂直方向へ移動することにより排水口１０の開閉を行う弁体１１とを備えた浴槽用給湯兼排水口アダプター１であって、排水口１０と同一面に排水口に隣接して形成される追い焚き通水口２０と、浴槽用給湯兼排水口アダプター１の本体に取り付けられ、追い焚き通水口２０を被覆する通水口カバー３０とを備え、通水口カバー３０は、弁体１１が排水口１０を閉栓している状態において浴槽用給湯兼排水口アダプター１の本体から取り外しできないよう構成されていることを特徴とする。【選択図】図２
2019154546.tif 000002
【特許請求の範囲】
【請求項１】
浴槽の底面に形成される排水口と、排水口が形成されている浴槽の面に対し垂直方向へ移動することにより排水口の開閉を行う弁体とを備えた浴槽用給湯兼排水口アダプターであって、
排水口と同一面に排水口に隣接して形成される追い焚き通水口と、
浴槽用給湯兼排水口アダプターの本体に取り付けられ、追い焚き通水口を被覆する通水口カバーとを備え、
前記通水口カバーは、弁体が排水口を閉栓している状態において浴槽用給湯兼排水口アダプターの本体から取り外しできないよう構成されている
ことを特徴とする浴槽用給湯兼排水口アダプター。
【請求項２】
前記通水口カバーは、弁体が排水口を開栓した状態又は弁体を排水口から取り外した状態のときに、弁体が排水口を閉栓していた位置の方向へスライドさせることで浴槽用給湯兼排水口アダプターの本体から取り外し可能となる
ことを特徴とする請求項１記載の浴槽用給湯兼排水口アダプター。
【請求項３】
前記浴槽の底面と、閉口時の弁体の頂部と、通水口カバーの頂部とが面一となる
ことを特徴とする請求項１又は２記載の浴槽用給湯兼排水口アダプター。
【請求項４】
さらに、通水口カバーを浴槽用給湯兼排水口アダプターの本体に取り付けるための係合手段を備え、
前記係合手段は、弁体が排水口を開栓した状態又は弁体を排水口から取り外した状態のときに、弁体が排水口を閉栓していた位置の方向へ通水口カバーをスライドさせることで通水口カバーと浴槽用給湯兼排水口アダプターの本体との係合を解除する
ことを特徴とする請求項１〜３のいずれか１項記載の浴槽用給湯兼排水口アダプター。
【請求項５】
前記係合手段は、通水口カバー又は浴槽用給湯兼排水口アダプターの本体に形成された切り溝と、浴槽用給湯兼排水口アダプターの本体又は通水口カバーに据え付けられた軸部との係合である
ことを特徴とする請求項４記載の浴槽用給湯兼排水口アダプター。
【発明の詳細な説明】
【技術分野】
【０００１】
本発明は、排水口と給湯器からの温水が吐出される給湯口や、追い焚きを行う追い焚き通水口とを備えた浴槽用給湯兼排水口アダプターに関する。
【背景技術】
【０００２】
浴槽の追い焚きを行うために排水口と追い焚き通水口とを一体に備えた浴槽用給湯兼排水口アダプターを用いた浴槽排水装置が知られている。例えば、特許文献１では、浴槽の排水孔に口具が装着され、この口具には、排水通路と、浴槽湯水循環用の往通路および戻り通路とが設けられ、前記排水孔の排水通路には排水弁が設けられる浴槽の排水弁装置が開示されている。
【０００３】
特許文献１に示されるように、一体型の浴槽用給湯兼排水口アダプターの多くは、排水口および弁体を円形とし、排水口の周囲に沿って追い焚き通水口を形成して円形のカバーで追い焚き通水口を覆う構造をしている。
【０００４】
このような従来の浴槽用給湯兼排水口アダプターにおけるカバーは、浴槽用給湯兼排水口アダプターの取り付けられている面（浴槽の底面または内側壁面）に対して垂直方向に引き抜くことにより取り外すことができるよう構成されている。
【先行技術文献】
【特許文献】
【０００５】
【特許文献１】実開平５−９６１６８号公報
【発明の概要】
【発明が解決しようとする課題】
【０００６】
上記特許文献１に示されるような従来の浴槽用給湯兼排水口アダプターのカバーでは、カバーを引き抜くためにカバーの周囲に指を掛けるための空間が必要であり、そのために、浴槽の取付面からカバーを突出させる、または、カバー周囲に溝を設けなければならない。
【０００７】
しかしながら、浴槽の取付面である浴槽の内側壁面からカバーが突出していると、入浴者の身体に突出部分が当接して不快感を与えてしまうことになる。また、浴槽底面からカバーが突出し、入浴者がカバーに足を引っ掛けて躓いてしまうおそれがあり、安全性の点で問題がある。カバー周囲に溝を設ける場合も同様の問題が生じる可能性がある。
そこで、本発明は、このような問題に鑑みなされたものであり、入浴者に不快感を与えることがなく、安全性にも優れたカバーを備えた浴槽用給湯兼排水口アダプターを提供することを目的とする。
【課題を解決するための手段】
【０００８】
上記の課題を解決するため、本発明に係る浴槽用給湯兼排水口アダプターは、
浴槽の底面に形成される排水口と、排水口が形成されている浴槽の面に対し垂直方向へ移動することにより排水口の開閉を行う弁体とを備えた浴槽用給湯兼排水口アダプターであって、排水口と同一面に排水口に隣接して形成される追い焚き通水口と、浴槽用給湯兼排水口アダプターの本体に取り付けられ、追い焚き通水口を被覆する通水口カバーとを備え、前記通水口カバーは、弁体が排水口を閉栓している状態において浴槽用給湯兼排水口アダプターの本体から取り外しできないよう構成されていることを特徴とする。
【０００９】
これにより、弁体が閉じている際には浴槽の取付面から通水口カバーが突出することがなくなるので、入浴者の身体に突出部分が当接して不快感を与えることがなく、入浴者が通水口カバーに足を引っ掛けて躓くおそれもない安全性に優れたカバーを備えた浴槽用給湯兼排水口アダプターが実現可能となる。また、弁体を閉じている時に、入浴者が通水口カバーを踏んだり蹴ったりしても、閉栓した弁体が通水口カバーの抜け止めとなるので、通水口カバーが外れたり、通水口カバーが浴槽底面に対して斜めに配置されてしまうようなことを防止できる。
【００１０】
ここで、前記通水口カバーは、弁体が排水口を開栓した状態又は弁体を排水口から取り外した状態のときに、弁体が排水口を閉栓していた位置の方向へスライドさせることで浴槽用給湯兼排水口アダプターの本体から取り外し可能となるのが好ましい。
【００１１】
これにより、弁体が排水口を開栓した状態又は弁体を排水口から取り外した状態のときに通水口カバーを取り外し可能とすることができる。
【００１２】
ここで、前記浴槽の底面と、閉口時の弁体の頂部と、通水口カバーの頂部とが面一となるのが好ましい。
【００１３】
これにより、使用者が通水口カバーに足を引っ掛けたり、躓いたりすることがなく、また、使用者が通水口カバーに対する不快感を覚えることを防ぐことができる。
浴槽用給湯兼排水口アダプターは、さらに、通水口カバーを浴槽用給湯兼排水口アダプターの本体に取り付けるための係合手段を備え、前記係合手段は、弁体が排水口を開栓した状態又は弁体を排水口から取り外した状態のときに、弁体が排水口を閉栓していた位置の方向へ通水口カバーをスライドさせることで通水口カバーと浴槽用給湯兼排水口アダプターの本体との係合を解除するのが好ましい。
【００１４】
そして、前記係合手段は、通水口カバー又は浴槽用給湯兼排水口アダプターの本体に形成された切り溝と、浴槽用給湯兼排水口アダプターの本体又は通水口カバーに据え付けられた軸部との係合であるとして構成してもよい。
これにより、弁体が排水口を開栓した状態又は弁体を排水口から取り外した状態のときに通水口カバーが取り外し可能となるので、通水口カバーに対して蹴り込み等の衝撃が加わったとしても、弁体によって通水口カバーが外れることを防ぐことができ、より安全性に優れた浴槽用給湯兼排水口アダプターが実現できる。
【発明の効果】
【００１５】
以上のように、本発明に係る浴槽用給湯兼排水口アダプターによれば、浴槽の取付面から通水口カバーが突出することがなくなるので、入浴者に不快感を与えることがなく、安全性にも優れたカバーを備えた浴槽用給湯兼排水口アダプターが実現できる。
【図面の簡単な説明】
【００１６】
【図１】浴槽用給湯兼排水口アダプターの平面図である。
【図２】図１のＡ−Ａ線断面図で、排水口が開いた状態を示す図である。
【図３】図１のＡ−Ａ線断面図で、排水口が閉じた状態を示す図である。
【図４】図１のＢ−Ｂ線断面斜視図である。
【図５】通水口カバーの斜視図である。
【図６】通水口カバーの取り外し手順を説明するための図である。
【図７】通水口カバーの取り外し手順を説明するための図である。
【図８】通水口カバーの取り外し手順を説明するための図である。
【図９】通水口カバーの取り外し手順を説明するための図である。
【発明を実施するための形態】
【００１７】
以下、本発明に係る浴槽用給湯兼排水口アダプターについて図を参照しながら説明する。
【００１８】
図１は、浴槽用給湯兼排水口アダプターの平面図である。図２および図３は図１のＡ−Ａ線断面図で、図２は排水口が開いた状態を示し、図３は排水口が閉じた状態を示している。図４は図１のＢ−Ｂ線断面斜視図であり、図５は通水口カバーの斜視図である。
【００１９】
浴槽用給湯兼排水口アダプター１は、浴槽２の底面に配置される排水装置であり、排水口１０と、追い焚きを行う際に湯水を循環させるための通水口となる追い焚き通水口２０とを隣接させて一体に備えた浴槽用給湯兼排水口アダプターである。ここでは、排水が下水へと排水される排水口１０がアダプター底面２１に構成され、その排水口１０の左右に追い焚き通水口２０が配列され、追い焚き通水口２０、排水口１０、および、追い焚き通水口２０が直列に並び、全体が平面視矩形となるよう構成された浴槽用給湯兼排水口アダプターを示している。なお、浴槽２の底面には、浴槽２の側壁と浴槽２の底面が交差するＲ部分も含まれるものとする。
【００２０】
排水口１０の上には、排水口１０の開閉を行う弁体１１が載置されており、この弁体１１は全体形状に合わせた矩形に構成されている。弁体１１は、排水口１０を開栓又は閉栓する。具体的には排水口１０から離れた個所に構成される操作部を操作することで、レリースワイヤなどの伝達部材により弁体１１を上下動させる。図２に示すように、弁体１１を上昇させた際は、弁体１１は排水口１０から離間して開栓し、浴槽２内の排水が排水口１０から下水へと排水される。図３に示すように、弁体１１を下降させた際は、弁体１１は排水口１０に着座して閉栓し、浴槽２内に水を貯水することが可能となる。この弁体１１は、排水口１０が形成されている面、すなわち、浴槽用給湯兼排水口アダプター１の取付面（ここでは浴槽２の底面）に対して垂直方向へ引き抜くことにより取り外すことができるよう構成されている。
【００２１】
追い焚き通水口２０は、追い焚きを行う際に湯水を通水させる通水口であり、浴槽２内の湯水を循環用の戻り通路へ導く吸込口２０Ａと、給湯器からの湯水を浴槽２内へ供給する吐出口２０Ｂとで構成されている。なお、ここでは、浴槽２と給湯器との間に湯水を循環させる循環型の給湯システムを例に挙げて説明するが、給湯器から浴槽２内に湯水を供給する吐出口２０Ｂのみで構成される給湯システムであってもよい。
【００２２】
追い焚き通水口２０は、通水口カバー３０によって被覆されている。通水口カバー３０は、追い焚き通水口２０を被覆するカバー部材であり、追い焚き時の湯水の吐出口又は吸引口が開口されている。この通水口カバー３０も全体形状に合わせた矩形に構成されている。通水口カバー３０は、浴槽用給湯兼排水口アダプター１の本体に着脱するための係合部３１を側面に備えている。なお、浴槽用給湯兼排水口アダプター１の本体とは、弁体１１と通水口カバー３０とが取り付けられていない状態の浴槽用給湯兼排水口アダプター１をさす。
【００２３】
次に、図６から図９を用いて、通水口カバー３０の取り外し手順を説明する。
【００２４】
図６は、浴槽用給湯兼排水口アダプター１の本体に通水口カバー３０が取り付けられている状態を示す図である。なお、図中に弁体１１が示されていないが、弁体１１を取り外した状態であってもよいし、弁体１１が排水口１０を開栓した状態であっても閉栓した状態であってもよい。
【００２５】
図６では、通水口カバー３０は、通水口カバー３０の側面を鉤型に溝を切って構成された切り溝の係合部３１を、浴槽用給湯兼排水口アダプター１の本体側に据え付けられた軸部２２と係合させることによって、浴槽用給湯兼排水口アダプター１の本体に取り付けられていることが示されている。
【００２６】
図７は、通水口カバー３０の係合部３１と軸部２２との係合を解除した状態を示す図である。ここでは、弁体１１が示されていないが、弁体１１が上昇した状態、すなわち、排水口１０を開栓した状態であり、弁体１１が下降して排水口１０を閉栓した状態ではない。なお、弁体１１が排水口１０を開栓した状態には、浴槽用給湯兼排水口アダプター１の本体から弁体１１が取り外されている状態を含むものとする。
【００２７】
通水口カバー３０を、弁体１１が排水口１０を閉栓していた位置の方向、すなわち、本体の中央方向へスライドさせると、通水口カバー３０の係合部３１と軸部２２との係合が解除される。弁体１１が排水口１０を閉栓している状態では、通水口カバー３０を本体の中央方向へずらすことができないため、係合部３１と軸部２２との係合が解除されることはない。したがって、通水口カバー３０に対して蹴り込み等の衝撃が加わったとしても、弁体１１によって通水口カバー３０が外れることを防ぐことができるようになっている。なお、通水口カバー３０をより外れにくくして安全性を高めるために、係合部３１と軸部２２との係合を保持する係合爪３２を形成するとしてもよい。
【００２８】
また、弁体１１が排水口１０を開栓した状態で、通水口カバー３０を弁体１１が排水口１０を閉栓していた位置の方向へスライドさせて浴槽用給湯兼排水口アダプター１の本体から取り外しできるようにして、通水口カバー３０の中央部と排水口１０を閉じた状態の弁体１１の上面とは同じ高さの面一となるよう構成している。浴槽用給湯兼排水口アダプター１の取付面である浴槽２の底面と、排水口１０を閉じた状態の弁体１１の頂部と、通水口カバー３０の頂部とが面一となることで、浴槽２の底面に凸状部分をなくすることができ、使用者が足を引っ掛けたり、躓いたりすることを防ぐことができる。
【００２９】
図８は、通水口カバー３０を浴槽用給湯兼排水口アダプター１の本体から取り外すときの状態を示す図である。図７に示した係合部３１と軸部２２との係合を解除した状態から、通水口カバー３０を上方へ動かすと、本体１から通水口カバー３０を取り外すことができるようになっている。
【００３０】
図９は、通水口カバー３０を浴槽用給湯兼排水口アダプター１の本体から取り外した後の状態を示す図である。図９に示すように、浴槽用給湯兼排水口アダプター１の本体側に据え付けられた軸部２２は、アダプター底面２１上に設けられたカバー支持部２３，２４に据え付けられている。通水口カバー３０の内周面に沿う形状のカバー支持部２３としてもよいし、軸部２２を据え付けるための部分だけで構成されたカバー支持部２４として構成してもよい。
【００３１】
このように構成された浴槽用給湯兼排水口アダプター１は、排水口１０と、追い焚き通水口２０とを隣接させて備えた浴槽用給湯兼排水口アダプターで、排水口１０を開閉するための弁体１１が排水口１０を閉栓している状態では浴槽用給湯兼排水口アダプター１の本体から取り外しできないように構成している。そして、弁体１１が排水口１０を開栓した状態又は弁体１１を浴槽用給湯兼排水口アダプター１の本体から取り外した状態で、追い焚き通水口２０を被覆する通水口カバー３０を弁体１１が排水口１０を閉栓していた位置の方向へスライドさせることにより浴槽用給湯兼排水口アダプター１の本体から取り外しできるようにしている。これにより、浴槽２への取付面から通水口カバー３０を突出させたり、通水口カバー３０の周囲に溝を設けたりする必要がなく、入浴者に不快感を与えることがない。また、このような構成とすることで、浴槽用給湯兼排水口アダプター１の取付面である浴槽２の底面と、排水口１０を閉じた状態の弁体１１の頂部と、通水口カバー３０の頂部とが面一となるので、入浴者がカバーに足を引っ掛けて躓いてしまうことはなく、浴槽用給湯兼排水口アダプター１は安全性にも優れたものとなる。
【００３２】
以上、本発明に係る浴槽用給湯兼排水口アダプターについて、各実施形態に基づいて説明したが本発明はこれに限定されるものではなく、本発明の目的を達成でき、かつ発明の要旨を逸脱しない範囲内で種々設計変更が可能であり、それらも全て本発明の範囲内に包含されるものである。
【００３３】
例えば、浴槽用給湯兼排水口アダプターの底面に排水口が一体的に構成されている例を説明したが、排水口を一体的に備えた浴槽用給湯兼排水口アダプターでなくてもよい。
【００３４】
また、上記実施形態では、弁体と通水口カバーとを矩形としているが、形状は矩形に限られるものではなく、その他の多角形状や異なる形状の組み合わせとしてもよい。また、２枚のカバーの例を挙げて説明したが、カバーは１枚であってもよいし、３枚以上であってもよい。
【００３５】
さらに、上記実施形態では、通水口カバーに切り溝を形成してなる係合部と、浴槽用給湯兼排水口アダプターの本体に据え付けられた軸部とによって、通水口カバーと浴槽用給湯兼排水口アダプターの本体とを着脱可能に係合する例を説明したが、その他の係合手段であってもよい。すなわち、弁体が排水口を開栓した状態で、弁体が排水口を閉栓していた位置の方向へ通水口カバーをずらすことにより浴槽用給湯兼排水口アダプターの本体との係合を解除するものであればよい。例えば、通水口カバーの内周と浴槽用給湯兼排水口アダプターの本体とにそれぞれ据え付けられた係合爪とにより両者を着脱可能に係合する構成であってもよい。
【００３６】
上記実施形態とは反対に、通水口カバー側に軸部を設けて、浴槽用給湯兼排水口アダプターの本体に切り溝の係合部を設けるとしてもよい。また、軸部も円柱状に限らず角柱状などその他の形状であってもよい。
【産業上の利用可能性】
【００３７】
本発明は、浴槽の内側壁面や底面に据え付けられる浴槽用給湯兼排水口アダプターとして有用であり、特に排水口と給湯口や追い焚きを行う追い焚き通水口とを備えた浴槽用給湯兼排水口アダプターに好適である。
【符号の説明】
【００３８】
１      浴槽用給湯兼排水口アダプター
２      浴槽
１０    排水口
１１    弁体
２０    追い焚き通水口
２０Ａ  吸込口
２０Ｂ  吐出口
２１    アダプター底面
２２    軸部
２３    カバー支持部
２４    カバー支持部
３０    通水口カバー
３１    係合部
３２    係合爪
【図１】
2019154546.tif 000003
【図２】
2019154546.tif 000004
【図３】
2019154546.tif 000005
【図４】
2019154546.tif 000006
【図５】
2019154546.tif 000007
【図６】
2019154546.tif 000008
【図７】
2019154546.tif 000009
【図８】
2019154546.tif 000010
【図９】
2019154546.tif 000011